(57)【要約】【課題】本発明は、第１のオルダムキーが損傷することを抑制した上で、オルダムリング及び旋回スクロールの小型化及び軽量化を図ることの可能なオルダムリング、及びスクロール圧縮機を提供することを目的とする。【解決手段】第１のオルダムキー５７，５８が配置された一対の直線部６４，６５間の第１の距離Ｄ１を、第２のオルダムキー６１が配置された第１の接続部６７と第２のオルダムキー６２が配置された第２の接続部６８との第２の距離Ｄ２よりも短くなるように構成するとともに、第１のオルダムキー５７，５８の第１の受圧面５７ａ，５８ａの面積を第２のオルダムキー６１，６２の第２の受圧面６１ａ，６２ａの面積よりも大きくする。【選択図】図３
2019190383.tif 000002
【特許請求の範囲】
【請求項１】
第１の方向に延び、該第１の方向に対して直交する第２の方向において対向する一対の直線部、前記一対の直線部の一方の端を接続する第１の接続部、前記一対の直線部の他方の端を接続するとともに、前記第１の方向において前記第１の接続部と対向する第２の接続部を有するオルダムリング本体と、
前記第１の方向及び前記第２の方向に対して直交する前記オルダムリング本体の軸線の一方側に配置された前記一対の直線部の面にそれぞれ設けられており、前記オルダムリング本体の周方向に配置され、荷重を受ける第１の受圧面を有する第１のオルダムキーと、
前記軸線の他方側に配置された前記第１の接続部及び前記第２の接続部の面にそれぞれ設けられており、前記オルダムリング本体の周方向に配置され、荷重を受ける第２の受圧面を有する第２のオルダムキーと、
を備え、
前記第２の方向における前記一対の直線部間の第１の距離は、前記第１の方向における前記第１の接続部と前記第２の接続部との間の第２の距離よりも短く、
前記第１の受圧面の面積は、前記第２の受圧面の面積よりも大きいオルダムリング。
【請求項２】
前記軸線が延びる方向である軸線方向において、前記第１のオルダムキーの高さは、前記第２のオルダムキーの高さよりも高い請求項１記載のオルダムリング。
【請求項３】
前記第２の方向における前記第１のオルダムキーの長さは、前記第１の方向における前記第２のオルダムキーの長さよりも長い請求項１または２記載のオルダムリング。
【請求項４】
前記第１の方向における前記第１のオルダムキーの幅は、前記第２の方向における前記第２のオルダムキーの幅よりも広い請求項１から３のうち、いずれか一項記載のオルダムリング。
【請求項５】
前記第１のオルダムキーは、前記直線部の外面から外側に突出しないように配置されている請求項１から４のうち、いずれか一項記載のオルダムリング。
【請求項６】
前記第１の接続部及び前記第２の接続部の形状は、それぞれ円弧形状である請求項１から５のうち、いずれか一項記載のオルダムリング。
【請求項７】
前記第１の方向に対して直交する面で前記直線部を切断することで形成される該直線部の切断面の面積は、前記第１の接続部が延びる方向に対して直交する面で第１の接続部を切断することで形成される前記第１の接続部の切断面の第１の面積、及び前記第２の接続部が延びる方向に対して直交する面で第２の接続部を切断することで形成される前記第２の接続部の切断面の第２の面積よりも大きい請求項６記載のオルダムリング。
【請求項８】
前記第１の接続部及び前記第２の接続部は、前記一対の直線部の内面と接続され、前記軸線が延びる方向である軸線方向から見て半円形状とされた内周面と、前記一対の直線部の外面と接続され、前記軸線方向から見て半円形状とされた外周面と、を有し、
前記第１の接続部の内周面及び外周面の中心位置と前記第１の接続部と接続される前記一対の直線部の一方の端同士を結ぶ直線の中間位置とを一致させ、
前記第２の接続部の内周面及び外周面の中心位置と前記第２の接続部と接続される前記一対の直線部の他方の端同士を結ぶ直線の中間位置とを一致させる請求項６または７記載のオルダムリング。
【請求項９】
第１の方向に延び、該第１の方向に対して直交する第２の方向において対向する一対の直線部、前記一対の直線部の一方の端を接続する第１の接続部、前記一対の直線部の他方の端を接続するとともに、前記第１の方向において前記第１の接続部と対向する第２の接続部を有するオルダムリング本体と、
前記第１の方向及び前記第２の方向に対して直交する前記オルダムリング本体の軸線の一方側に配置された前記一対の直線部の面にそれぞれ設けられた第１のオルダムキーと、
前記軸線の他方側に配置された前記第１の接続部及び前記第２の接続部の面にそれぞれ設けられた第２のオルダムキーと、
を備え、
前記第２の方向における前記一対の直線部間の第１の距離は、前記第１の方向における前記第１の接続部と前記第２の接続部との間の第２の距離よりも短く、
前記第１のオルダムキーは、前記直線部の外面から外側に突出しないように配置されているオルダムリング。
【請求項１０】
前記第１のオルダムキーは、前記オルダムリング本体の周方向に配置された第１の受圧面を有しており、
前記第２のオルダムキーは、前記オルダムリング本体の周方向に配置された第２の受圧面を有しており、
前記オルダムリング本体の軸線が延びる方向である軸線方向における前記第１のオルダムキーの高さは、前記軸線方向における前記第２のオルダムキーの高さよりも高い請求項９記載のオルダムリング。
【請求項１１】
流体を圧縮させるスクロール圧縮機であって、
請求項１から１０のうち、いずれか一項記載のオルダムリングと、
前記オルダムリング本体の前記軸線が延びる方向に延び、回転する回転軸と、
前記回転軸に設けられ、前記第１のオルダムキーが挿入される溝が形成された端板を含む旋回スクロールと、
前記旋回スクロールと対向して配置され、該旋回スクロールとの間に流体を圧縮する圧縮室を形成する固定スクロールと、
前記オルダムリング、前記回転軸、前記旋回スクロール、及び前記固定スクロールを収容するハウジングと、
を備えるスクロール圧縮機。
【発明の詳細な説明】
【技術分野】
【０００１】
本発明は、オルダムリング、及びスクロール圧縮機に関する。
【背景技術】
【０００２】
流体（冷媒）を圧縮するスクロール圧縮機は、空気調和装置や冷凍装置等に用いられている。スクロール圧縮機は、固定スクロールに対して旋回スクロールを公転するように旋回させて、固定スクロールと旋回スクロールとの間に形成された圧縮室の容量を減少させることで流体の圧縮を行う。
【０００３】
スクロール圧縮機は、旋回スクロールの自転を抑制するためのオルダムリングを有する。
オルダムリングは、オルダムキーを有する。
【０００４】
特許文献１には、オルダムリング及び旋回スクロールの小型化を図る観点から、長円形形状とされたオルダムリングが開示されている。
特許文献１に開示されたオルダムリングは、一対の直線部と、一対の直線部の一方の端を接続する第１の円弧部と、一対の直線部の他方の端を接続する第２の円弧部と、一対の直線部にそれぞれ設けられ、旋回スクロールの端板の溝に挿入される第１のオルダムキーと、第１及び第２の円弧部にそれぞれ設けられた第２のオルダムキーと、を有する。
【０００５】
第１のオルダムキーは、オルダムリングの軸線方向一方側に配置されている。第１のオルダムキーは、オルダムリングの周方向に配置され、旋回スクロールからの荷重を受ける第１の受圧面を有する。
第２のオルダムキーは、オルダムリングの軸線方向他方側に配置されている。第２のオルダムキーは、オルダムリングの周方向に配置された第２の受圧面を有する。
オルダムリング及び旋回スクロールの小型化を図る観点から、一対の直線部間の距離は、第１の円弧部と第２の円弧部との距離よりも小さくなるように構成されている。
【先行技術文献】
【特許文献】
【０００６】
【特許文献１】特開平１０−５４３７８号公報
【発明の概要】
【発明が解決しようとする課題】
【０００７】
特許文献１に開示されたオルダムリングは、上述したように、一対の直線部間の距離が第１の円弧部と第２の円弧部との距離よりも小さくなるように構成されているため、一対の第１のオルダムキー間の距離が一対の第２のオルダムリング間の距離よりも小さくなる。
これにより、第１のオルダムキーの第１の受圧面には、第２のオルダムキーの第２の受圧面が受ける荷重よりも大きな荷重（旋回荷重や圧縮荷重等）が作用し、第１のオルダムキーが損傷する可能性があった。
【０００８】
そこで、本発明は、第１のオルダムキーが損傷することを抑制した上で、オルダムリング及び旋回スクロールの小型化及び軽量化を図ることの可能なオルダムリング、及びスクロール圧縮機を提供することを目的とする。
【課題を解決するための手段】
【０００９】
上記課題を解決するため、本発明の一態様に係るオルダムリングは、第１の方向に延び、該第１の方向に対して直交する第２の方向において対向する一対の直線部、前記一対の直線部の一方の端を接続する第１の接続部、前記一対の直線部の他方の端を接続するとともに、前記第１の方向において前記第１の接続部と対向する第２の接続部を有するオルダムリング本体と、前記第１の方向及び前記第２の方向に対して直交する前記オルダムリング本体の軸線の一方側に配置された前記一対の直線部の面にそれぞれ設けられており、前記オルダムリング本体の周方向に配置され、荷重を受ける第１の受圧面を有する第１のオルダムキーと、前記軸線の他方側に配置された前記第１の接続部及び前記第２の接続部の面にそれぞれ設けられており、前記オルダムリング本体の周方向に配置され、荷重を受ける第２の受圧面を有する第２のオルダムキーと、を備え、前記第２の方向における前記一対の直線部間の第１の距離は、前記第１の方向における前記第１の接続部と前記第２の接続部との間の第２の距離よりも短く、前記第１の受圧面の面積は、前記第２の受圧面の面積よりも大きい。
【００１０】
本発明によれば、第２の方向における一対の直線部間の第１の距離を第１の方向における第１の接続部と第２の接続部との間の第２の距離よりも短くすることで、第２の方向におけるオルダムリング及び旋回スクロールのサイズを小さくすることが可能となる。これにより、オルダムリング及び旋回スクロールの小型化及び軽量化を図ることができる。
【００１１】
また、オルダムリング本体の軸線からの距離が第２のオルダムキーよりも短い第１のオルダムキーの第１の受圧面の面積を第２のオルダムキーの第２の受圧面の面積よりも大きくすることで、第２の受圧面が受ける荷重よりも大きな荷重を受ける第１の受圧面の面圧を低減させて、第１のオルダムキーが損傷することを抑制できる。
つまり、本発明によれば、第１のオルダムキーが損傷することを抑制した上で、オルダムリング及び旋回スクロールの小型化及び軽量化を図ることができる。
【００１２】
また、上記本発明の一態様に係るオルダムリングにおいて、前記軸線が延びる方向である軸線方向において、前記第１のオルダムキーの高さは、前記第２のオルダムキーの高さよりも高くてもよい。
【００１３】
このように、軸線方向における第１のオルダムキーの高さを第２のオルダムキーの高さよりも高くすることで、第２の方向において、オルダムリングを大型化させることなく、第１の受圧面の面積を第２の受圧面の面積よりも大きくすることができる。
【００１４】
また、上記本発明の一態様に係るオルダムリングにおいて、前記第２の方向における前記第１のオルダムキーの長さは、前記第１の方向における前記第２のオルダムキーの長さよりも長くてもよい。
【００１５】
このように、第２の方向における第１のオルダムキーの長さを、第１の方向における第２のオルダムキーの長さよりも長くすることで第１の受圧面の面積を第２の受圧面の面積よりも大きくすることができる。
【００１６】
また、上記本発明の一態様に係るオルダムリングにおいて、前記第１の方向における前記第１のオルダムキーの幅は、前記第２の方向における前記第２のオルダムキーの幅よりも広くてもよい。
【００１７】
このように、第１の方向における第１のオルダムキーの幅を、第２の方向における第２のオルダムキーの幅よりも広くすることで、オルダムキー本体と第１のオルダムキーとの間の接続強度を高めることが可能となる。これにより、第１のオルダムキーが損傷することを抑制できる。
【００１８】
また、上記本発明の一態様に係るオルダムリングにおいて、前記第１のオルダムキーは、前記直線部の外面から外側に突出しないように配置されていてもよい。
【００１９】
このように、直線部の外面から外側に突出しないように、第１のオルダムキーを配置させることで、第２の方向において、オルダムリングを大型化することを抑制できる。
【００２０】
また、上記本発明の一態様に係るオルダムリングにおいて、前前記第１の接続部及び前記第２の接続部の形状は、それぞれ円弧形状であってもよい。
【００２１】
このように、第１の接続部及び第２の接続部の形状をそれぞれ円弧形状とすることで、第１の接続部及び第２の接続部を直線形状とした場合と比較して、第１の接続部及び第２の接続部が受ける応力を小さくすることができる。
【００２２】
また、上記本発明の一態様に係るオルダムリングにおいて、前記第１の方向に対して直交する面で前記直線部を切断することで形成される該直線部の切断面の面積は、前記第１の接続部が延びる方向に対して直交する面で第１の接続部を切断することで形成される前記第１の接続部の切断面の第１の面積、及び前記第２の接続部が延びる方向に対して直交する面で第２の接続部を切断することで形成される前記第２の接続部の切断面の第２の面積よりも大きくてもよい。
【００２３】
直線部には、円弧形状とされた第１の接続部及び第２の接続部よりも大きな応力を受けやすい。
そこで、直線部の断面積を、第１の接続部の第１の断面積、及び第２の接続部の第２の断面積よりも大きくすることで、直線部の強度が向上し、直線部の損傷を抑制することができる。
【００２４】
また、上記本発明の一態様に係るオルダムリングにおいて、前記第１の接続部及び前記第２の接続部は、前記一対の直線部の内面と接続され、前記軸線が延びる方向である軸線方向から見て半円形状とされた内周面と、前記一対の直線部の外面と接続され、前記軸線方向から見て半円形状とされた外周面と、を有し、前記第１の接続部の内周面及び外周面の中心位置と前記第１の接続部と接続される前記一対の直線部の一方の端同士を結ぶ直線の中間位置とを一致させ、前記第２の接続部の内周面及び外周面の中心位置と前記第２の接続部と接続される前記一対の直線部の他方の端同士を結ぶ直線の中間位置とを一致させてもよい。
【００２５】
このように、第１の接続部の内周面及び外周面の中心位置と第１の接続部と接続される一対の直線部の一方の端同士を結ぶ直線の中間位置とを一致させることで、一対の直線部の内面と第１の接続部の内周面とを滑らかな面で接続することが可能になるとともに、一対の直線部の外面と第１の接続部の外周面とを滑らかな面で接続することが可能になる。
これにより、一対の直線部の内面と第１の接続部の内周面との境界部分、及び一対の直線部の外面と第１の接続部の外周面との境界部分に応力が集中することを抑制できる。
【００２６】
また、第２の接続部の内周面及び外周面の中心位置と第２の接続部と接続される一対の直線部の他方の端同士を結ぶ直線の中間位置とを一致させることで、一対の接続部の内面と第２の接続部の内周面とを滑らかな面で接続することが可能になるとともに、一対の接続部の外面と第２の接続部の外周面とを滑らかな面で接続することが可能になる。
これにより、一対の接続部の内面と第２の接続部の内周面との境界部分、及び一対の接続部の外面と第２の接続部の外周面との境界部分に応力が集中することを抑制できる。
【００２７】
また、上記本発明の一態様に係るオルダムリングにおいて、第１の方向に延び、該第１の方向に対して直交する第２の方向において対向する一対の直線部、前記一対の直線部の一方の端を接続する第１の接続部、前記一対の直線部の他方の端を接続するとともに、前記第１の方向において前記第１の接続部と対向する第２の接続部を有するオルダムリング本体と、前記第１の方向及び前記第２の方向に対して直交する前記オルダムリング本体の軸線の一方側に配置された前記一対の直線部の面にそれぞれ設けられた第１のオルダムキーと、前記軸線の他方側に配置された前記第１の接続部及び前記第２の接続部の面にそれぞれ設けられた第２のオルダムキーと、を備え、前記第２の方向における前記一対の直線部間の第１の距離は、前記第１の方向における前記第１の接続部と前記第２の接続部との間の第２の距離よりも短く、前記第１のオルダムキーは、前記直線部の外面から外側に突出しないように配置されている。
【００２８】
このように、第２の方向における一対の直線部間の第１の距離を第１の方向における第１の接続部と第２の接続部との間の第２の距離よりも短くすることで、第２の方向におけるオルダムリング及び旋回スクロールのサイズを小さくすることが可能となる。これにより、オルダムリング及び旋回スクロールの小型化及び軽量化を図ることができる。
また、直線部の外面から外側に突出しないように第１のオルダムキーを配置させることで、第２の方向におけるオルダムリング及び旋回スクロールのサイズをさらに小さくすることができる。
【００２９】
また、上記本発明の一態様に係るオルダムリングにおいて、前記第１のオルダムキーは、前記オルダムリング本体の周方向に配置された第１の受圧面を有しており、前記第２のオルダムキーは、前記オルダムリング本体の周方向に配置された第２の受圧面を有しており、前記オルダムリング本体の軸線が延びる方向である軸線方向における前記第１のオルダムキーの高さは、前記軸線方向における前記第２のオルダムキーの高さよりも高くてもよい。
【００３０】
このように、オルダムリング本体の軸線方向における第１のオルダムキーの高さを、軸線方向における第２のオルダムキーの高さよりも高くすることで、オルダムリングを大型化させることなく、第１の受圧面の面積を第２の受圧面の面積よりも大きくすることが可能となる。
これにより、荷重により第１の受圧面が受ける面圧を低減させて、第１のオルダムキーが損傷することを抑制できる。
【００３１】
また、本発明の一態様に係るスクロール圧縮機は、流体を圧縮させるスクロール圧縮機であって、上記オルダムリングと、前記オルダムリング本体の前記軸線が延びる方向に延び、回転する回転軸と、前記回転軸に設けられ、前記第１のオルダムキーが挿入される溝が形成された端板を含む旋回スクロールと、前記旋回スクロールと対向して配置され、該旋回スクロールとの流体を圧縮する圧縮室を形成する固定スクロールと、前記オルダムリング、前記回転軸、前記旋回スクロール、及び前記固定スクロールを収容するハウジングと、を備える。
【００３２】
このように、上述したオルダムリングを備えることで、小型化されたオルダムリング及び旋回スクロールからなる構造体とハウジングの内面との間に形成される隙間を大きくすることが可能となるので、回転軸が延びる方向において流体を移動させやすくすることができる。
【発明の効果】
【００３３】
本発明によれば、第１のオルダムキーが損傷することを抑制した上で、オルダムリング及び旋回スクロールの小型化及び軽量化を図ることができる。
【図面の簡単な説明】
【００３４】
【図１】本発明の第１の実施形態に係るスクロール圧縮機の概略構成を示す断面図である。
【図２】図１に示す旋回スクロールを回転軸側から視た平面図である。
【図３】図１に示すオルダムリングを旋回スクロール側から視た平面図である。
【図４】図３に示すオルダムリングをＡ視した側面図である。
【図５】図１に示すオルダムリングを回転軸側から視た平面図である。
【図６】図３に示す一方の直線部のＡ１−Ａ２線方向の断面図（一方の直線部が延びる方向に対して直交する面で一方の直線部を切断した際の断面図）である。
【図７】図３に示す他方の直線部のＢ１−Ｂ２線方向の断面図（他方の直線部が延びる方向に対して直交する面で他方の直線部を切断した際の断面図）である。
【図８】図３に示す第１の接続部のＥ１−Ｅ２線方向の断面図（第１の接続部が延びる方向に対して直交する面で第１の接続部を切断した際の断面図）である。
【図９】図３に示す第２の接続部のＦ１−Ｆ２線方向の断面図（第２の接続部が延びる方向に対して直交する面で第２の接続部を切断した際の断面図）である。
【図１０】図１に示すオルダムリング及び旋回スクロールを回転軸側から視た平面図である。
【図１１】本発明の第２の実施形態に係るオルダムリングを旋回スクロール側から視た平面図である。
【図１２】図１１に示すオルダムリングをＢ視した図である。
【図１３】本発明の第３の実施形態に係るオルダムリングを旋回スクロール側から視た平面図である。
【図１４】本発明の第４の実施形態に係るオルダムリングを旋回スクロール側から視た平面図である。
【図１５】図１４に示すオルダムリングをＣ視した側面図である。
【発明を実施するための形態】
【００３５】
（第１の実施形態）
図１を参照して、第１の実施形態のスクロール圧縮機１０について説明する。
図１において、Ｏは回転軸本体３５の軸線（以下、「軸線Ｏ」という）、Ｏ１は偏心軸３６の偏心軸線（以下、「偏心軸線Ｏ１」という）、Ｘ方向は第１の方向、Ｚ方向はスクロール圧縮機１０の高さ方向をそれぞれ示している。
【００３６】
スクロール圧縮機１０は、ハウジング１１と、吸入配管１３と、吐出配管１５と、メイン軸受１７と、サブ軸受１９と、回転軸２１と、給油ポンプ２２と、駆動部２３と、スクロール圧縮機本体２４と、ブッシュアセンブリ２５と、オルダムリング２７と、を有する。
【００３７】
ハウジング１１は、密閉構造とされており、その内部に中空部を有する。ハウジング１１は、筒状部３１と、底部３２と、蓋部３３と、を有する。
筒状部３１は、円筒形状とされた部材であり、Ｚ方向に延びている。筒状部３１の上端及び下端は、開放端とされている。
底部３２は、筒状部３１の下端を塞ぐように設けられている。蓋部３３は、筒状部３１の上端を塞ぐように設けられている。
【００３８】
ハウジング１１は、メイン軸受１７、サブ軸受１９、回転軸２１、給油ポンプ２２、駆動部２３、スクロール圧縮機本体２４、ブッシュアセンブリ２５、及びオルダムリング２７を収容している。
ハウジング１１の内部は、スクロール圧縮機本体２４により、スクロール圧縮機本体２４の下方に配置された吸入室１１Ａと、スクロール圧縮機本体２４の上方に配置された吐出室１１Ｂと、に区画されている。
【００３９】
吸入配管１３は、筒状部３１の中部に設けられている。吸入配管１３は、ハウジング１１内に形成された吸入室１１Ａと連通されている。吸入配管１３は、ハウジング１１の外部から吸入室１１Ａに流体（例えば、作動流体である冷媒ガス）を導入させる。
【００４０】
吐出配管１５は、蓋部３３に設けられている。吐出配管１５は、吐出室１１Ｂに連通している。スクロール圧縮機１０を業務用マルチエアコンの室外機として用いる場合、吐出配管１５は、例えば、使用先である複数の室内機（図示せず）と接続される。
吐出配管１５には、スクロール圧縮機本体２４により圧縮された流体（以下、「高圧流体」という）が排出される。そして、排出された高圧流体は、使用先に供給される。
【００４１】
メイン軸受１７は、ハウジング１１の内壁に固定されている。メイン軸受１７は、吸入配管１３とハウジング１１との接続位置とスクロール圧縮機本体２４との間に配置されている。
メイン軸受１７は、軸線Ｏ方向に延在する回転軸本体３５の一方の端部３５Ａを回転可能な状態で支持している。
【００４２】
回転軸２１は、回転軸本体３５と、偏心軸３６と、を有する。回転軸本体３５は、円柱形状とされている。回転軸本体３５は、スクロール圧縮機本体２４側に配置された一方の端部３５Ａと、底部３２側に配置された他方の端部３５Ｂと、を有する。
回転軸本体３５は、メイン軸受１７及びサブ軸受１９により軸線Ｏ周りに回転可能な状態で支持されている。
【００４３】
偏心軸３６は、回転軸本体３５の一方の端部３５Ａの端に設けられている。偏心軸３６は、軸線Ｏに対してオフセット（偏心）された偏心軸線Ｏ１を中心軸としている。偏心軸３６は、回転軸本体３５の外径よりも小さい円柱状の軸である。
このような構成とされた偏心軸３６は、軸線Ｏ回りに回転軸本体３５が回転すると、軸線Ｏ１回りに公転する。
【００４４】
給油ポンプ２２は、サブ軸受１９の下方に設けられている。給油ポンプ２２は、メイン軸受１７及びサブ軸受１９を構成する軸受本体に潤滑油を供給する。
【００４５】
駆動部２３は、ハウジング１１内に収容されている。駆動部２３は、回転軸本体３５の中央部の外周面を囲むように配置されている。駆動部２３は、回転軸本体３５を回転させる。
【００４６】
スクロール圧縮機本体２４は、メイン軸受１７と吐出室１１Ｂとの間に設けられている。スクロール圧縮機本体２４は、固定スクロール４１と、旋回スクロール４２と、を有する。
【００４７】
固定スクロール４１は、旋回スクロール４２と吐出室１１Ｂとの間に配置されている。固定スクロール４１は、端板４５と、固定ラップ４６と、を有する。
【００４８】
端板４５は、円盤状の板材であり、ハウジング１１の内壁に固定されている。端板４５は、固定スクロール４１の下方に配置された旋回スクロール４２と対向している。
端板４５は、吐出口４５Ａを有する。吐出口４５Ａは、端板４５の中央を貫通するように形成された穴であり、Ｚ方向に延在している。吐出口４５Ａは、スクロール圧縮機本体２４による圧縮が完了した高圧流体を吐出室１１Ｂに吐出させる。
【００４９】
固定ラップ４６は、旋回スクロール４２と対向する端板４５の面（下面）に設けられている。固定ラップ４６は、Ｚ方向に立設されている。固定ラップ４６は、Ｚ方向から見て渦巻き状に形成された壁体である。固定ラップ４６としては、例えば、端板４５の中心回りに巻回された板状の部材を用いることが可能である。
【００５０】
次に、図１及び図２を参照して、旋回スクロール４２について説明する。図２において、Ｙ方向は第２の方向であり、Ｘ方向及び図１に示すＺ方向に対して直交する方向である。
【００５１】
旋回スクロール４２は、固定スクロール４１とメイン軸受１７との間に配置されている。旋回スクロール４２は、端板４８と、旋回ラップ４９と、ボス部５１と、溝５３と、を有する。
【００５２】
端板４８は、円盤状の板材であり、Ｚ方向において端板４５と対向している。
旋回ラップ４９は、端板４５と対向する端板４８の面に設けられている。旋回ラップ４９は、Ｚ方向に立設されている。旋回ラップ４９は、Ｚ方向から見て渦巻き状に形成された壁体である。旋回ラップ４９としては、例えば、端板４８の中心回りに巻回された板状の部材を用いることが可能である。
【００５３】
上記構成とされた旋回ラップ４９は、先に説明した固定ラップ４６と噛み合うように配置されている。これにより、旋回ラップ４９と固定ラップ４６との間には、流体を圧縮する空間である圧縮室２４Ａが区画される。旋回ラップ４９が固定スクロール４１に対して旋回することで、圧縮室２４Ａの容積が変化する。これにより、圧縮室２４Ａ内の流体（冷媒）が圧縮される。
【００５４】
ボス部５１は、回転軸２１と対向する端板４８の面４８ａの中央部に設けられている。ボス部５１は、円筒形状の部材であり、サブ軸受１９に向かう方向に突出している。ボス部５１は、偏心軸３６の外周を囲むように配置されている。
なお、ボス部５１の内周面には、軸受が設けられている。該軸受には、給油ポンプ２２から潤滑油が供給される。
【００５５】
溝５３は、端板４８の面４８ａ側に２つ形成されている。２つの溝５３は、平面視した状態でボス部５１を挟んで対向している。２つの溝５３は、端板４８の外周まで延びている。
【００５６】
図１を参照するに、ブッシュアセンブリ２５は、旋回スクロール４２と回転軸２１との間に設けられている。ブッシュアセンブリ２５は、旋回スクロール４２と回転軸２１とを連結している。ブッシュアセンブリ２５は、偏心軸３６とボス部５１との間に設けられたブッシュ２５Ａを有する。
【００５７】
次に、図１〜図１０を参照して、オルダムリング２７について説明する。
図３において、Ｃ１は直線部６４の一方の端６４Ａと直線部６５の一方の端６５Ａとを結ぶ直線の中間位置（以下、「中間位置Ｃ１」という）、Ｃ２は半円形状とされた第１の接続部６７の内周面６７ｃ及び外周面６７ｄの中心位置（以下、「中心位置Ｃ２」という）、Ｃ３は直線部６４の他方の端６４Ｂと直線部６５の他方の端６５Ｂとを結ぶ直線の中間位置（以下、「中間位置Ｃ３」という）、Ｃ４は半円形状とされた第２の接続部６８の内周面６８ｃ及び外周面６８ｄの中心位置（以下、「中心位置Ｃ４」という）をそれぞれ示している。
【００５８】
また、図３において、Ｌ１はＹ方向における第１のオルダムキー５７の長さ（以下、「長さＬ１」という）、Ｌ２はＹ方向における第１のオルダムキー５８の長さ（以下、「長さＬ２」という）、Ｌ３はＸ方向における第２のオルダムキー６１の長さ（以下、「長さＬ３」という）、Ｌ４はＸ方向における第２のオルダムキー６２の長さ（以下、「長さＬ４」という）をそれぞれ示している。
【００５９】
また、図３において、Ｏ２はオルダムリング本体５５の軸線（以下、「軸線Ｏ２」という）、Ｇ１は直線部６４が延びる方向における直線部６４の幅（以下、「幅Ｇ１」という）、Ｇ２は直線部６５が延びる方向における直線部６５の幅（以下、「幅Ｇ２」という）、Ｇ３は第１の接続部６７が延びる方向における第１の接続部６７の幅（以下、「幅Ｇ３」という）、Ｇ４は第２の接続部６８が延びる方向における第２の接続部６８の幅（以下、「幅Ｇ４」という）をそれぞれ示している。
【００６０】
さらに、図３において、Ｗ１はＸ方向における第１のオルダムキー５７の幅（以下、「幅Ｗ１」という）、Ｗ２はＸ方向における第１のオルダムキー５８の幅（以下、「幅Ｗ２」という）、Ｗ３はＹ方向における第２のオルダムキー６１の幅（以下、「幅Ｗ３」という）、Ｗ４はＹ方向における第２のオルダムキー６２の幅（以下、「幅Ｗ４」という）をそれぞれ示している。
【００６１】
図４では、第１のオルダムキー５８に隠れた第１のオルダムキー５７を点線で図示する。また、図４において、Ｈ１は軸線Ｏ２方向（Ｚ方向）における第１のオルダムキー５７の高さ（以下、「高さＨ１」という）、Ｈ２は軸線Ｏ２方向（Ｚ方向）における第１のオルダムキー５８の高さ（以下、「高さＨ２」という）、Ｈ３は軸線Ｏ２方向（Ｚ方向）における第２のオルダムキー６１の高さ（以下、「高さＨ３」という）、Ｈ４は軸線Ｏ２方向（Ｚ方向）における第２のオルダムキー６２の高さ（以下、「高さＨ４」という）をそれぞれ示している。
図３において、図１に示す構造体と同一構成部分には、同一符号を付す。図３〜図９において、同一構成部分には、同一符号を付す。図１０において、図２及び図３に示す構造体と同一構成部分には、同一符号を付す。
【００６２】
オルダムリング２７は、旋回スクロール４２の自転（偏心軸線Ｏ１回りの回転）を抑制するための部材であり、旋回スクロール４２とメイン軸受１７との間に設けられている。
オルダムリング２７は、オルダムリング本体５５と、第１のオルダムキー５７，５８と、第２のオルダムキー６１，６２と、を有する。
【００６３】
オルダムリング本体５５は、一対の直線部である直線部６４，６５と、第１の接続部６７と、第２の接続部６８と、を有する。
直線部６４，６５は、それぞれＸ方向（第１の方向）に延びている。直線部６４，６５は、Ｙ方向（第２の方向）において互いに離れた状態で対向配置されている。
【００６４】
直線部６４は、Ｘ方向に配置された一方の端６４Ａ、及び他方の端６４Ｂと、面６４ａ，６４ｂと、内面６４ｃと、外面６４ｄと、を有する。
面６４ａは、軸線Ｏ２の一方側に配置された面であり、Ｚ方向において一部が旋回スクロール４２と対向している。面６４ｂは、軸線Ｏ２の他方側に配置された面であり、面６４ａの反対側に配置されている。
内面６４ｃは、Ｙ方向において直線部６５と対向する面である。外面６４ｄは、内面６４ｃの反対側に配置された面である。
【００６５】
Ｘ方向に対して直交する面（仮想面）で直線部６４を切断することで形成される直線部６４の切断面６４ｅは、矩形とされている。Ｙ方向における直線部６４の幅は、幅Ｇ１とされている。また、Ｚ方向における直線部６４の厚さは、厚さＭ１とされている。
【００６６】
直線部６５は、Ｘ方向に配置された一方の端６５Ａ、及び他方の端６５Ｂと、面６５ａ，６５ｂと、内面６５ｃと、外面６５ｄと、を有する。
面６５ａは、軸線Ｏ２の一方側に配置された面であり、Ｚ方向において一部が旋回スクロール４２と対向している。面６５ｂは、軸線Ｏ２の他方側に配置された面であり、面６５ａの反対側に配置されている。
内面６５ｃは、Ｙ方向において直線部６４と対向する面である。外面６５ｄは、内面６５ｃの反対側に配置された面である。
【００６７】
Ｘ方向に対して直交する面（仮想面）で直線部６５を切断することで形成される直線部６５の切断面６５ｅは、矩形とされている。Ｙ方向における直線部６５の幅Ｇ２は、直線部６４の幅Ｇ１と等しくなるように構成されている。
また、Ｚ方向における直線部６５の厚さＭ２は、直線部６４の厚さＭ１と等しくなるように構成されている。
【００６８】
第１の接続部６７は、直線部６４の一方の端６４Ａと直線部６５の一方の端６５Ａとを接続している。第１の接続部６７は、円弧形状とされた部材である。
このように、第１の接続部６７を円弧形状とすることで、第１の接続部６７を直線形状とした場合と比較して、第１の接続部６７が受ける応力を小さくすることができる。
【００６９】
第１の接続部６７は、面６７ａ，６７ｂと、内周面６７ｃと、外周面６７ｄと、を有する。
面６７ａは、軸線Ｏ２の一方側に配置された面である。面６７ｂは、軸線Ｏ２の他方側に配置された面であり、面６７ａの反対側に配置されている。
【００７０】
内周面６７ｃは、直線部６４，６５の内面６４ｃ，６５ｃと接続された面である。内周面６７ｃは、軸線Ｏ２方向から見て半円形状とされている。
外周面６７ｄは、直線部６４，６５の外面６４ｄ，６５ｄと接続された面である。外周面６７ｄは、軸線Ｏ２方向から見て半円形状とされている。
第１の接続部６７の内周面６７ｃ及び外周面６７ｄの中心位置Ｃ２は、直線部６４の一方の端６４Ａと直線部６５の一方の端６５Ａとを結ぶ直線の中間位置Ｃ１と一致するように構成されている。
【００７１】
このように、第１の接続部６７の内周面６７ｃ及び外周面６７ｄの中心位置Ｃ２と一方の端６４Ａ，６５Ａ同士を結ぶ直線の中間位置Ｃ１とを一致させることで、一対の直線部６４，６５の内面６４ｃ，６５ｃと第１の接続部６７の内周面６７ｃとを滑らかな面で接続することが可能になるとともに、一対の直線部６４，６５の外面６４ｄ，６５ｄと第１の接続部６７の外周面６７ｄとを滑らかな面で接続することが可能になる。
これにより、一対の直線部６４，６５の内面６４ｃ，６５ｃと第１の接続部６７の内周面６７ｃとの境界部分、及び一対の直線部６４，６５の外面６４ｄ，６５ｄと第１の接続部６７の外周面６７ｄとの境界部分に応力が集中することを抑制できる。
【００７２】
第１の接続部６７が延びる方向に対して直交する面（仮想面）で第１の接続部６７を切断することで形成される第１の接続部６７の切断面６７ｅは、矩形とされている。
第１の接続部６７が延びる方向に対して直交する直線部６４の幅Ｇ３は、直線部６４，６５の幅Ｇ１，Ｇ２と等しくなるように構成されている。
また、Ｚ方向における第１の接続部６７の厚さＭ３は、直線部６４，６５の厚さＭ１，Ｍ２と等しくなるように構成されている。
【００７３】
第２の接続部６８は、直線部６４の他方の端６４Ｂと直線部６５の他方の端６５Ｂとを接続している。第２の接続部６８は、円弧形状とされた部材である。
このように、第２の接続部６８を円弧形状とすることで、第２の接続部６８を直線形状とした場合と比較して、第２の接続部６８が受ける応力を小さくすることができる。
【００７４】
第２の接続部６８は、面６８ａ，６８ｂと、内周面６８ｃと、外周面６８ｄと、を有する。
面６８ａは、軸線Ｏ２の一方側に配置された面である。面６８ｂは、軸線Ｏ２の他方側に配置された面であり、面６８ａの反対側に配置されている。
【００７５】
内周面６８ｃは、直線部６４，６５の内面６４ｃ，６５ｃと接続された面である。内周面６８ｃは、軸線Ｏ２方向から見て半円形状とされている。
外周面６８ｄは、直線部６４，６５の外面６４ｄ，６５ｄと接続された面である。外周面６８ｄは、軸線Ｏ２方向から見て半円形状とされている。
第２の接続部６８の内周面６８ｃ及び外周面６８ｄの中心位置Ｃ４は、直線部６４の他方の端６４Ｂと直線部６５の他方の端６５Ｂとを結ぶ直線の中間位置Ｃ３と一致するように構成されている。
【００７６】
このように、第２の接続部６８の内周面６８ｃ及び外周面６８ｄの中心位置Ｃ４と他方の端６４Ｂ，６５Ｂ同士を結ぶ直線の中間位置Ｃ３とを一致させることで、一対の直線部６４，６５の内面６４ｃ，６５ｃと第２の接続部６８の内周面６８ｃとを滑らかな面で接続することが可能になるとともに、一対の直線部６４，６５の外面６４ｄ，６５ｄと第２の接続部６８の外周面６８ｄとを滑らかな面で接続することが可能になる。
【００７７】
これにより、一対の直線部６４，６５の内面６４ｃ，６５ｃと第２の接続部６８の内周面６８ｃとの境界部分、及び一対の直線部６４，６５の外面６４ｄ，６５ｄと第２の接続部６８の外周面６８ｄとの境界部分に応力が集中することを抑制できる。
【００７８】
第２の接続部６８が延びる方向に対して直交する面（仮想面）で第２の接続部６８を切断することで形成される第２の接続部６８の切断面６８ｅは、矩形とされている。
第２の接続部６８が延びる方向に対して直交する直線部６４の幅Ｇ４は、直線部６４，６５の幅Ｇ１，Ｇ２及び第１の接続部６７の幅Ｇ３と等しくなるように構成されている。
また、Ｚ方向における第２の接続部６８の厚さＭ４は、直線部６４，６５の厚さＭ１，Ｍ２及び第１の接続部６７の厚さＭ３等しくなるように構成されている。
【００７９】
したがって、第１の実施形態では、直線部６４，６５の切断面６４ｅ，６５ｅの面積、第１の接続部６７の切断面６７ｅの第１の面積、及び第２の接続部６８の切断面６８ｅの第２の面積が等しくなるように構成されている。
【００８０】
第１のオルダムキー５７は、直線部６４の中央部に位置する面６４ａに設けられている。第１のオルダムキー５７は、旋回スクロール４２の２つの溝５３のうち、一方の溝５３に挿入されている。
第１のオルダムキー５７は、オルダムリング本体５５の周方向に配置され、荷重を受ける第１の受圧面５７ａを有する。
第１のオルダムキー５７は、直線部６４の外面６４ｄの外側に突出している。Ｙ方向における第１のオルダムキー５７の長さＬ１は、直線部６４の幅Ｇ１よりも大きくなるように構成されている。
【００８１】
第１のオルダムキー５８は、直線部６５の中央部に位置する面６５ａに設けられている。第１のオルダムキー５８は、Ｙ方向において第１のオルダムキー５７と対向している。第１のオルダムキー５８は、旋回スクロール４２の２つの溝５３のうち、他方の溝５３に挿入される。
第１のオルダムキー５８は、オルダムリング本体５５の周方向に配置され、荷重を受ける第１の受圧面５８ａを有する。
【００８２】
第１のオルダムキー５８は、直線部６５の外面６５ｄの外側に突出している。Ｙ方向における第１のオルダムキー５８の長さＬ２は、直線部６５の幅Ｇ２よりも大きくなるように構成されている。
Ｘ方向における第１のオルダムキー５８の幅Ｗ２は、第１のオルダムキー５７の幅Ｗ１と等しくなるように構成されている。また、第１のオルダムキー５８の高さＨ２は、第１のオルダムキー５７の高さＨ１と等しくなるように構成されている。
第１のオルダムキー５７，５８の長さＬ１，Ｌ２は、第２のオルダムキー６１，６２の長さＬ３，Ｌ４よりも長くなるように構成されている。
【００８３】
第２のオルダムキー６１は、第１の接続部６７の中央部に位置する面６７ａに設けられている。第２のオルダムキー６１は、固定スクロール４１に形成された溝（図示せず）に挿入される。
第２のオルダムキー６１は、オルダムリング本体５５の周方向に配置され、荷重を受ける第２の受圧面６１ａを有する。
【００８４】
第２のオルダムキー６１は、Ｘ方向において第１の接続部６７の外周面６７ｄの外側に突出している。Ｘ方向における第２のオルダムキー６１の長さＬ３は、第１の接続部６７の幅Ｇ３よりも大きくなるように構成されている。
Ｙ方向における第２のオルダムキー６１の幅Ｗ３は、第１のオルダムキー５７，５８の幅Ｗ１，Ｗ２と等しくなるように構成されている。また、第２のオルダムキー６１の高さＨ３は、第１のオルダムキー５７，５８の高さＨ１，Ｈ２と等しくなるように構成されている。
【００８５】
第２のオルダムキー６２は、第２の接続部６８の中央部に位置する面６８ａに設けられている。第２のオルダムキー６２は、Ｘ方向において、第２のオルダムキー６１と対向している。
第２のオルダムキー６２は、固定スクロール４１に形成された溝（図示せず）に挿入される。第２のオルダムキー６２は、オルダムリング本体５５の周方向に配置され、荷重を受ける第２の受圧面６２ａを有する。
【００８６】
第２のオルダムキー６２は、第２の接続部６８の外周面６８ｄの外側に突出している。Ｙ方向における第２のオルダムキー６２の長さＬ４は、第２の接続部６８の幅Ｇ４よりも大きくなるように構成されている。
Ｙ方向における第２のオルダムキー６２の幅Ｗ４は、第１のオルダムキー５７，５８の幅Ｗ１，Ｗ２、及び第２のオルダムキー６１の幅Ｗ３と等しくなるように構成されている。
また、第２のオルダムキー６２の高さＨ４は、第１のオルダムキー５７，５８の高さＨ１，Ｈ２、及び第２のオルダムキー６２の高さＨ３と等しくなるように構成されている。
つまり、第１及び第２のオルダムキー５７，５８，６１，６２は、長さが異なり、幅及び高さが等しいオルダムキーである。
【００８７】
第１の実施形態のオルダムリング２７では、Ｙ方向における一対の直線部６４，６５間の第１の距離Ｄ１は、Ｘ方向における第１の接続部６７と第２の接続部６８との第２の距離Ｄ２よりも短くなるように構成されている。
【００８８】
このように、Ｙ方向における一対の直線部６４，６５間の第１の距離Ｄ１を、Ｘ方向における第１の接続部６７と第２の接続部６８との第２の距離Ｄ２よりも短くすることで、Ｙ方向におけるオルダムリング２７及び旋回スクロール４２のサイズを小さくすることが可能となる。これにより、オルダムリング２７及び旋回スクロール４２の小型化及び軽量化を図ることができる。
【００８９】
一方、第１の距離Ｄ１を第２の距離Ｄ２よりも短くすると、第１の受圧面５７ａ，５８ａは、第２の受圧面６１ａ，６２ａが受ける荷重よりも大きな荷重を受けることになる。
しかしながら、上述したように、第１のオルダムキー５７，５８の長さＬ１，Ｌ２は、第２のオルダムキー６１，６２の長さＬ３，Ｌ４よりも長くなるように構成されている。
【００９０】
このように、第１のオルダムキー５７，５８の長さＬ１，Ｌ２を第２のオルダムキー６１，６２の長さＬ３，Ｌ４よりも長くすることで、第２の受圧面６１ａ，６２ａの面積よりも第１の受圧面５７ａ，５８ａの面積を大きくすることが可能となる。
これにより、第２の受圧面６１ａ，６２ａが受ける荷重よりも大きな荷重を受ける第１の受圧面５７ａ，５８ａの面圧（荷重に起因する面圧）を低減させて、第１のオルダムキー５７の損傷を抑制することができる。
【００９１】
第１の実施形態のオルダムリング２７によれば、上述したように、第１のオルダムキー５７，５８が配置された一対の直線部６４，６５間の第１の距離Ｄ１を、第２のオルダムキー６１が配置された第１の接続部６７と第２のオルダムキー６２が配置された第２の接続部６８との第２の距離Ｄ２よりも短くなるように構成することで、オルダムリング２７及び旋回スクロール４２の小型化及び軽量化を図ることができる。
【００９２】
また、第１のオルダムキー５７，５８の長さＬ１，Ｌ２を第２のオルダムキー６１，６２の長さＬ３，Ｌ４よりも長くすることで、第２のオルダムキー６１，６２の第２の受圧面６１ａ，６２ａの面積よりも第１のオルダムキー５７，５８の第１の受圧面５７ａ，５８ａの面積を大きくすることが可能となる。
これにより、荷重に起因して第１の受圧面５７ａ，５８ａが受ける面圧を低減することが可能となるので、第１のオルダムキー５７，５８の損傷を抑制することができる。
【００９３】
また、上記オルダムリング２７を備えたスクロール圧縮機１０によれば、小型化されたオルダムリング２７及び旋回スクロール４２を有することで、オルダムリング２７及び旋回スクロール４２とハウジング１１の内面との間に形成される隙間を大きくすることが可能となる。これにより、回転軸２１が延びるＺ方向において流体を移動させやすくすることができる。
【００９４】
なお、第１の実施形態では、一例として、直線部６４，６５の厚さＭ１，Ｍ２と第１及び第２の接続部６７，６８の厚さＭ３，Ｍ４とが等しく、かつ直線部６４，６５の幅Ｇ１，Ｇ２と第１及び第２の接続部６７，６８の幅Ｇ３，Ｇ４とが等しい場合を例に挙げて説明したが、例えば、直線部６４，６５の厚さＭ１，Ｍ２の厚さを第１及び第２の接続部６７，６８の厚さＭ３，Ｍ４よりも厚くしたり、直線部６４，６５の幅Ｇ１，Ｇ２を第１及び第２の接続部６７，６８の幅Ｇ３，Ｇ４よりも広くしたりすることで、直線部６４，６５の切断面６４ｅ，６５ｅの断面積を第１の接続部６７の切断面６７ｅの第１の断面積、及び第２の接続部６８の切断面６８ｅの第２の断面積よりも大きくしてもよい。
【００９５】
このように、直線部６４，６５の切断面６４ｅ，６５ｅの断面積を第１の接続部６７の切断面６７ｅの第１の断面積、及び第２の接続部６８の切断面６８ｅの第２の断面積よりも大きくすることで、直線部６４，６５の強度が向上し、直線部６４，６５の損傷を抑制することができる。
【００９６】
（第２の実施形態）
図１１及び図１２を参照して、第２の実施形態のオルダムリング７５について説明する。
図１１において、Ｌ５はＹ方向における第１のオルダムキー７６の長さ（以下、「長さＬ１」という）、Ｌ６はＹ方向における第１のオルダムキー７７の長さ（以下、「長さＬ２」という）をそれぞれ示している。図１１において、図３に示す構造体と同一構成部分には同一符号を付す。
図１２において、Ｈ５は軸線Ｏ２方向（Ｚ方向）における第１のオルダムキー７６の高さ（以下、「高さＨ５」という）、Ｈ６は軸線Ｏ２方向（Ｚ方向）における第１のオルダムキー７７の高さ（以下、「高さＨ６」という）をそれぞれ示している。図１２において、図４及び図１１に示す構造体と同一構成部分には、同一符号を付す。
【００９７】
オルダムリング７５は、第１の実施形態のオルダムリング２７を構成する第１のオルダムキー５７，５８に替えて、第１のオルダムキー７６，７７を有すること以外はオルダムリング２７と同様に構成されている。
【００９８】
第１のオルダムキー７６は、第１のオルダムキー５７の長さＬ１よりも短い長さＬ５とされ、かつ第１のオルダムキー５７の高さＨ１よりも高い高さＨ５とされたこと以外は、第１のオルダムキー５７と同様に構成されている。
第１のオルダムキー７６の長さＬ５は、例えば、第２のオルダムキー６１，６２の長さＬ３，Ｌ４と同じ長さにすることが可能である。
第１のオルダムキー７６は、オルダムリング本体５５の周方向に配置され、第２の受圧面６１ａ，６２ａよりも面積の大きい第１の受圧面７６ａを有する。
【００９９】
第１のオルダムキー７７は、第１のオルダムキー５８の長さＬ２よりも短い長さＬ６とされ、かつ第１のオルダムキー５８の高さＨ２よりも高い高さＨ６とされたこと以外は、第１のオルダムキー５８と同様に構成されている。
第１のオルダムキー７７の長さＬ６は、例えば、第２のオルダムキー６１，６２の長さＬ３，Ｌ４、及び第１のオルダムキー７６の長さＬ５と同じ長さにすることが可能である。
第１のオルダムキー７７は、オルダムリング本体５５の周方向に配置され、第２の受圧面６１ａ，６２ａよりも面積の大きい第１の受圧面７７ａを有する。
【０１００】
第２の実施形態のオルダムリング７５によれば、第１のオルダムキー７６，７７の長さＬ５，Ｌ６を第２のオルダムキー６１，６２の長さＬ３，Ｌ４よりも長くすることなく、第１のオルダムキー７６，７７の高さＨ５，Ｈ６を第２のオルダムキー６１，６２の高さＨ３，Ｈ４よりも高くすることで、Ｙ方向にオルダムリング７５を大型化させることなく、第１の受圧面７６ａ，７７ａの面積を第２の受圧面６１ａ，６２ａの面積よりも大きくして、荷重に起因する第１の受圧面７６ａ，７７ａが受ける面圧を低減することが可能となる。
これにより、第１のオルダムキー７６，７７の損傷を抑制した上で、オルダムリング７５及び旋回スクロールの小型化及び軽量化を図ることができる。
【０１０１】
（第３の実施形態）
図１３を参照して、第３の実施形態のオルダムリング８０について説明する。
図１３において、Ｗ５はＸ方向における第１のオルダムキー８１の幅（以下、「幅Ｗ５」という）、Ｗ６はＸ方向における第１のオルダムキー８２の長さ（以下、「幅Ｗ６」という）をそれぞれ示している。図１３において、図１１に示す構造体と同一構成部分には同一符号を付す。
【０１０２】
オルダムリング８０は、第２の実施形態のオルダムリング７５を構成する第１のオルダムキー７６，７７に替えて、第１のオルダムキー８１，８２を有すること以外はオルダムリング２７と同様に構成されている。
【０１０３】
第１のオルダムキー８１は、第１のオルダムキー７６の幅Ｗ１より広い幅Ｗ５を有すること以外は、第１のオルダムキー７６と同様な構成とされている。
第１のオルダムキー８１は、オルダムリング本体５５の周方向に配置され、第２の受圧面６１ａ，６２ａよりも面積の大きい第１の受圧面８１ａを有する。
【０１０４】
第１のオルダムキー８２は、第１のオルダムキー７７の幅Ｗ２よりも広い幅Ｗ６を有すること以外は、第１のオルダムキー７７と同様な構成とされている。
第１のオルダムキー８２は、オルダムリング本体５５の周方向に配置され、第２の受圧面６１ａ，６２ａよりも面積の大きい第１の受圧面８２ａを有する。
【０１０５】
第３の実施形態のオルダムリング８０によれば、第２のオルダムキー６１，６２の長さＬ３，Ｌ４よりも第１のオルダムキー８１，８２の長さＬ５，Ｌ６を長くすることなく、第１のオルダムキー８１，８２の幅Ｗ５，Ｗ６を第２のオルダムキー６１，６２の幅Ｗ３，Ｗ４よりも広くすることで、Ｙ方向にオルダムリング８０を大型化させることなく、第１の受圧面８１ａ，８２ａの面積を第２の受圧面６１ａ，６２ａの面積よりも大きくして、荷重に起因する第１の受圧面８１ａ，８２ａが受ける面圧を低減することが可能となる。
これにより、第１のオルダムキー８１，８２の損傷を抑制した上で、オルダムリング８０及び旋回スクロールの小型化及び軽量化を図ることができる。
【０１０６】
（第４の実施形態）
図１４及び図１５を参照して、第４の実施形態のオルダムリング８５について説明する。
図１４において、Ｌ７はＹ方向における第１のオルダムキー８６の長さ（以下、「長さＬ７」という）、Ｌ８はＹ方向における第１のオルダムキー８７の長さ（以下、「長さＬ７」という）をそれぞれ示している。図１３において、図３に示す構造体と同一構成部分には同一符号を付す。
図１５において、Ｈ７は軸線Ｏ２方向における第１のオルダムキー８６の高さ（以下、「高さＨ７」という）、Ｈ８は軸線Ｏ２方向における第１のオルダムキー８７の高さ（以下、「高さＨ８」という）をそれぞれ示している。図１５において、図４及び図１４に示す構造体と同一構成部分には同一符号を付す。
【０１０７】
オルダムリング８５は、第１の実施形態のオルダムリング２７を構成する第１のオルダムキー５７，５８に替えて、第１のオルダムキー８６，８７を有すること以外はオルダムリング２７と同様に構成されている。
【０１０８】
第１のオルダムキー８６は、直線部６４の外面６４ｄの外側に突出しないように、Ｙ方向の長さＬ７が直線部６４の幅Ｇ１と同じ大きさとされ、かつ高さＨ７が第１のオルダムキー５７の高さＨ１、及び第２のオルダムキー６１，６２の高さＨ３，Ｈ４よりも高くなるように構成されていること以外は、第１のオルダムキー５７と同様な構成とされている。
第１のオルダムキー８６は、オルダムリング本体５５の周方向に配置された第１の受圧面８６ａを有する。
【０１０９】
第１のオルダムキー８７は、直線部６５の外面６５ｄの外側に突出しないように、Ｙ方向の長さＬ８が直線部６５の幅Ｇ２と同じ大きさとされ、かつ高さＨ８が第１のオルダムキー５８の高さＨ２、及び第２のオルダムキー６１，６２の高さＨ３，Ｈ４よりも高くなるように構成されていること以外は、第１のオルダムキー５８と同様な構成とされている。
第１のオルダムキー８７は、オルダムリング本体５５の周方向に配置された第１の受圧面８７ａを有する。
【０１１０】
第４の実施形態のオルダムリング８５によれば、直線部６４，６５の外面６４ｄ，６５ｄの外側に第１のオルダムキー８６，８７が突出しないように、第１のオルダムキー８６，８７の長さＬ７，Ｌ８を直線部６４，６５の幅Ｇ１，Ｇ２と同じ大きさにするとともに、第１のオルダムキー８６，８７の高さＨ１，Ｈ２を第２のオルダムキー６１，６２の高さＨ３，Ｈ４よりも高くすることで、Ｙ方向にオルダムリング８５を大型化させることなく、第１の受圧面８６ａ，８７ａの面積を第２の受圧面６１ａ，６２ａの面積よりも大きくして、荷重に起因する第１の受圧面８１ａ，８２ａが受ける面圧を低減することが可能となる。
これにより、第１のオルダムキー８６，８７の損傷を抑制した上で、オルダムリング８５及び旋回スクロールの小型化及び軽量化を図ることができる。
【０１１１】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【０１１２】
第１の実施形態では、第１のオルダムキー５７，５８の長さＬ１，Ｌ２の長さを第２のオルダムキー６１，６２の長さＬ３，Ｌ４を長くすることで、第２の受圧面６１ａ，６２ａの面積よりも第１の受圧面５７ａ，５８ａの面積を大きくし、第２の実施形態では、第１のオルダムキー７６，７７の高さＨ５，Ｈ６を第２のオルダムキー６１，６２の高さＨ３，Ｈ４よりも高くすることで、第２の受圧面６１ａ，６２ａの面積よりも第１の受圧面７６ａ，７７ａの面積を大きくし、第３の実施形態では、第１のオルダムキー８１，８２の幅Ｗ５，Ｗ６を第２のオルダムキー６１，６２の幅Ｗ３，Ｗ４よりも広くすることで、第２の受圧面６１ａ，６２ａの面積よりも第１の受圧面８１ａ，８２ａの面積を大きくしたが、例えば、これら３つの形態（長さ、高さ、幅）を適宜組み合わせることで、第１のオルダムキーの第１の受圧面の面積を第２の受圧面の面積よりも大きくしてもよい。
【０１１３】
また、第１〜第４の実施形態では、一例として、図１に示すように、旋回スクロール４２の下方にオルダムリング２７，７５，８０，８５を配置させた場合を例に挙げて説明したが、例えば、固定スクロール４１と旋回スクロール４２との間に、オルダムリング２７，７５，８０，８５を配置させてもよい。この場合、オルダムリング２７，７５，８０，８５の第２のオルダムキー６１，６２は、固定スクロール４１に形成された溝（図示せず）に挿入される。
【０１１４】
さらに、第１〜第４の実施形態では、第１及び第２の接続部６７，６８が円弧形状の場合を例に挙げて説明したが、第１及び第２の接続部６７，６８の形状は、円弧形状以外の形状にしてもよい。具体的には、第１及び第２の接続部６７，６８の形状は、それぞれ１つの直線部で構成してもよいし、互いに交差する方向に延びる複数の直線部を連結させて構成してもよい。
【符号の説明】
【０１１５】
１０…スクロール圧縮機
１１…ハウジング
１１Ａ…吸入室
１１Ｂ…吐出室
１３…吸入配管
１５…吐出配管
１７…メイン軸受
１９…サブ軸受
２１…回転軸
２２…給油ポンプ
２３…駆動部
２４…スクロール圧縮機本体
２４Ａ…圧縮室
２５…ブッシュアセンブリ
２５Ａ…ブッシュ
２７，７５，８０，８５…オルダムリング
３１…筒状部
３２…底部
３３…蓋部
３５…回転軸本体
３５Ａ…一方の端部
３５Ｂ…他方の端部
３６…偏心軸
４１…固定スクロール
４２…旋回スクロール
４５，４８…端板
４５Ａ…吐出口
４６…固定ラップ
４８ａ，６４ａ，６４ｂ，６５ａ，６５ｂ，６７ａ，６７ｂ，６８ａ，６８ｂ…面
４９…旋回ラップ
５１…ボス部
５３…溝
５５…オルダムリング本体
５７，５８，７６，７７，８１，８２，８６，８７…第１のオルダムキー
５７ａ，５８ａ，７６ａ,７７ａ，８１ａ，８２ａ，８６ａ，８７ａ…第１の受圧面
６１，６２…第２のオルダムキー
６１ａ，６２ａ…第２の受圧面
６４，６５…直線部
６４Ａ，６５Ａ…一方の端
６４Ｂ，６５Ｂ…他方の端
６４ｃ，６５ｃ…内面
６４ｄ，６５ｄ…外面
６４ｅ，６５ｅ，６７ｅ，６８ｅ…切断面
６７…第１の接続部
６７ｃ,６８ｃ…内周面
６７ｄ，６８ｄ…外周面
６８…第２の接続部
Ｃ１，Ｃ３…中間位置
Ｃ２，Ｃ４…中心位置
Ｄ１…第１の距離
Ｄ２…第２の距離
Ｇ１〜Ｇ４，Ｗ１〜Ｗ６…幅
Ｈ１〜Ｈ８…高さ
Ｌ１〜Ｌ８…長さ
Ｍ１〜Ｍ４…厚さ
Ｏ，Ｏ２…軸線
Ｏ１…偏心軸線
【図１】
2019190383.tif 000003
【図２】
2019190383.tif 000004
【図３】
2019190383.tif 000005
【図４】
2019190383.tif 000006
【図５】
2019190383.tif 000007
【図６】
2019190383.tif 000008
【図７】
2019190383.tif 000009
【図８】
2019190383.tif 000010
【図９】
2019190383.tif 000011
【図１０】
2019190383.tif 000012
【図１１】
2019190383.tif 000013
【図１２】
2019190383.tif 000014
【図１３】
2019190383.tif 000015
【図１４】
2019190383.tif 000016
【図１５】
2019190383.tif 000017